(57)【要約】【課題】装飾灯付き芳香剤噴霧器の視覚効果を向上させる。【解決手段】ベース１０、少なくとも１つのファン３０、液体容器５０、振動装置７０、装飾灯部材６０、電源入力装置２１、カバー４０、複数の中空光管８０および蓋体９０を含む。振動装置７０が液体容器５０内の液体を振動させて霧化し、液体容器５０内の導気管５３により、ファン３０がガイドする気体の流速が速くなって液体容器５０中に進入するため、霧の飛散効果が高い。液体容器５０および蓋体９０は、透明または透光性であり、中空光管８０が装飾灯部材６０の発光体６２から放出された光線を蓋体９０および液体容器５０の内部および外部にガイドして投射するため、霧と光線とが組み合わされることにより、視覚効果を向上することができる。【選択図】図２
0003155997.tif 000002
【実用新案登録請求の範囲】
【請求項１】
複数の通気孔を含むベースと、
前記ベース上に配置され、前記通気孔から外部の気体を吸入するファンと、
底壁、周壁および少なくとも１つの導気管を含み、前記底壁および前記周壁により、収容空間が画定され、前記導気管は、集気口および排気口を含み、前記排気口は、前記収容空間に連通し、前記集気口は、前記ファンの位置に対応し、前記底壁には、穿孔および複数の通孔が設けられる液体容器と、
前記液体容器の穿孔中に配置され、前記液体容器内の液体を振動させて霧化する振動装置と、
回路基板と、前記回路基板に電気的に接続される複数の発光体と、を含み、前記回路基板は、前記液体容器の底壁に接続され、前記発光体は、前記通孔中に配置される装飾灯部材と、
前記ベース上に配置され、前記ファンと前記振動装置と前記回路基板とに電気的に接続されることにより、前記ファン、前記振動装置および前記回路基板に電源を供給する電源入力装置と、
上縁が前記液体容器に当接され、底縁には、複数の支持突部が突設されるカバーと、
前記液体容器の収容空間中に配置され、透明または透光性であり、一方の端部が前記発光体を被覆する複数の中空光管と、
前記液体容器上に当接され、前記中空光管の位置に対応する貫通孔と、前記振動装置の位置に対応する止水突部と、を含む蓋体と、を含むことを特徴とする装飾灯付き芳香剤噴霧器。
【請求項２】
スピーカ、音楽制御回路基板および外部音源入力装置をさらに含み、
前記スピーカ、前記音楽制御回路基板および前記外部音源入力装置は、前記ベース上に配置され、前記スピーカは、前記音楽制御回路基板と前記外部音源入力装置とに電気的に接続され、前記音楽制御回路基板と前記電源入力装置とは、電気的に接続され、前記外部音源入力装置と前記音楽制御回路基板とは、電気的に接続され、前記ベースには、前記ベースの上端と底端とを貫通し、前記スピーカの音声が外部に出力される複数の通音孔が設けられ、前記カバーの側辺には、電源入力口および音源入力口が設けられ、前記電源入力装置は、前記電源入力口を介し、外部と接続され、前記外部音源入力装置は、前記音源入力口を介し、外部と接続されることを特徴とする請求項１記載の装飾灯付き芳香剤噴霧器。
【請求項３】
前記液体容器または前記蓋体は、透明、半透明、一部透明、透光性、半透光性または一部透光性であることを特徴とする請求項１記載の装飾灯付き芳香剤噴霧器。
【請求項４】
前記底壁の底面には、複数の挿入柱が突設され、前記ベース上には、複数の中空接続管が突設され、前記挿入柱は、前記中空接続管に挿入接続されることを特徴とする請求項１記載の装飾灯付き芳香剤噴霧器。
【請求項５】
前記振動装置上には、前記収容空間中に配置され、前記収容空間の水位を感知する水位センサと、前記収容空間中に光線を照射する少なくとも１つの発光体と、が配置されることを特徴とする請求項１記載の装飾灯付き芳香剤噴霧器。
【請求項６】
前記導気管の集気口の口径は、前記排気口の口径より大きいことを特徴とする請求項１記載の装飾灯付き芳香剤噴霧器。
【考案の詳細な説明】
【技術分野】
【０００１】
本考案は、芳香剤噴霧器に関し、特に、装飾灯および音声出力機能を有する芳香剤噴霧器に関する。
【背景技術】
【０００２】
従来の芳香剤噴霧器は、開口から霧状の芳香剤が上方に飛散するのが見えるだけで、霧が渦状に立ち上る視覚効果を現出ことはできない。
【０００３】
また、従来の灯具付き芳香剤噴霧器の中には、透明なケーシングにより、灯具の光が僅かに外部に放出されるものが存在するが、点状の微弱な光線を霧と組み合わせて装飾効果を現出するのは難しい。
【０００４】
また、芳香剤噴霧器に充填された芳香油または芳香液が振動装置により、霧化した後、汚れとなって内部の部材上に付着するため、清掃する必要があるが、一般に、従来の芳香剤噴霧器は、構造が複雑であるため、分解して清掃するのが困難である。
【０００５】
また、一般に、従来の芳香剤噴霧器は、内部空間が狭いため、気体を導入する通路が狭い。このため、従来の芳香剤噴霧器は、霧の飛散量が少なく、芳香効果に優れないという欠点を有する。
【０００６】
また、従来の芳香剤噴霧器は、振動装置が液体を振動させるとき、液体を外部に跳ねやすいため、液体が流出しやすい上に、ケーシングの外部が汚れやすい。
【先行技術文献】
【特許文献】
【０００７】
【特許文献１】特開２００６−２０７５６７号公報
【考案の概要】
【考案が解決しようとする課題】
【０００８】
本考案の第１の目的は、装飾灯の光が外部に投射されることにより、視覚効果を向上させることができる装飾灯付き芳香剤噴霧器を提供することにある。
本考案の第２の目的は、ユーザが芳香剤噴霧器の内部の霧化状態を見ることができる上、内部の中空光管が組み合わされた装飾灯により、視覚効果を向上させることができる装飾灯付き芳香剤噴霧器を提供することにある。
本考案の第３の目的は、芳香剤を噴霧する効果に優れる装飾灯付き芳香剤噴霧器を提供することにある。
本考案の第４の目的は、分解および組立を簡単に行うことができ、清掃しやすい装飾灯付き芳香剤噴霧器を提供することにある。
本考案の第５の目的は、液体容器内の液体が外部に跳ねるのを防止することができる装飾灯付き芳香剤噴霧器を提供することにある。
【課題を解決するための手段】
【０００９】
上述の課題を解決するために、本考案の装飾灯付き芳香剤噴霧器は、ベース、ファン、液体容器、振動装置、装飾灯部材、電源入力装置、カバー、複数の中空光管および蓋体を含む。ベースは、複数の通気孔および中空接続管を含む。ファンは、ベース上に配置され、通気孔から外部の気体を吸入する。液体容器は、底壁、周壁および少なくとも１つの導気管を含む。底壁および周壁により、収容空間が画定される。底壁には、複数の挿入柱が突設される。挿入柱は、中空接続管中に挿入接続される。導気管は、口径が大きい集気口と、口径が小さい排気口と、を含む。排気口は、収容空間に連通する。集気口は、ファンの位置に対応する。底壁には、穿孔および複数の通孔が設けられる。振動装置は、液体容器の穿孔中に配置され、収容空間内の液体を振動させて霧化する。装飾灯部材は、回路基板と、回路基板に電気的に接続される複数の発光体と、を含む。回路基板は、液体容器の底壁に接続される。複数の発光体は、通孔中に配置される。電源入力装置は、ベース上に配置され、ファンと振動装置と回路基板とに電気的に接続され、ファン、振動装置および回路基板に電源を供給する。カバーは、上縁が液体容器に当接される。カバーの底縁には、複数の支持突部が突設される。複数の中空光管は、液体容器の収容空間中に配置され、中空光管の一方の端部は、発光体を被覆する。蓋体は、液体容器上に当接される。蓋体の複数の中空光管に対応する位置には、貫通孔が設けられる。
【００１０】
本考案の装飾灯付き芳香剤噴霧器の蓋体または液体容器は、透明、半透明、一部透明、透光性、半透光性または一部透光性であるのが好ましい。
【００１１】
本考案の装飾灯付き芳香剤噴霧器の中空光管は、透明または透光性である。
【考案の効果】
【００１２】
振動装置が液体容器内の液体を振動させて霧化し、液体容器内の導気管により、ファンが導入した気体の流速が速くなって液体容器中にガイドされるため、霧の飛散効果が高い。また、液体容器および装飾灯部材が透明または透光性であり、中空光管が装飾灯部材の発光体から放出された光線を蓋体および液体容器の内部および外部にガイドするため、霧と光線とが組み合わされ、視覚効果を向上することができる。
【図面の簡単な説明】
【００１３】
【図１】本考案の一実施形態による装飾灯付き芳香剤噴霧器を示す斜視図である。
【図２】本考案の一実施形態による装飾灯付き芳香剤噴霧器を示す分解斜視図である。
【図３】本考案の一実施形態による装飾灯付き芳香剤噴霧器を示す図２と異なる角度からの分解斜視図である。
【図４】本考案の一実施形態による装飾灯付き芳香剤噴霧器を示す断面図である。
【図５】本考案の一実施形態による装飾灯付き芳香剤噴霧器を示す透過図である。
【考案を実施するための形態】
【００１４】
本考案の目的、特徴および効果を示す実施形態を図面に沿って詳細に説明する。
【００１５】
図１〜図４を参照する。図１〜図４に示すように、本考案の一実施形態による装飾灯付き芳香剤噴霧器１００は、主に、ベース１０、電源入力装置２１、２つのファン３０、カバー４０、液体容器５０、装飾灯部材６０、振動装置７０、複数の中空光管８０および蓋体９０を含む。
【００１６】
図２〜図４を参照する。図２〜図４に示すように、ベース１０には、２つのファン収容領域および電源入力装置収容領域が画定される。各ファン収容領域には、ベース１０を貫通する複数の通気孔１１が設けられる。また、ベース１０の上面には、複数の中空接続管１２が突設される。
【００１７】
電源入力装置２１は、ベース１０の電源入力装置収容領域上に配置され、外部電源ケーブル（図示せず）が挿入接続されることにより、外部から電源が供給される。
【００１８】
２つのファン３０は、ベース１０上の各ファン収容領域上に配置される。各ファン３０は、電源入力装置２１に電気的に接続されることにより、電源入力装置２１から駆動するのに必要な電源が供給され、通気孔１１から外部の気体を吸入する。
【００１９】
図１〜図４を参照する。図１〜図４に示すように、カバー４０は、中空矩形断面である。カバー４０の底部の角部には、支持突部４１が突設されることにより、装飾灯付き芳香剤噴霧器１００は、平面上に安定的に支持される。
【００２０】
図２および図３を参照する。図２および図３に示すように、液体容器５０は、底壁５１と、底壁５１の周縁から上方に延伸する周壁５２と、２つの導気管５３と、を含む。底壁５１および周壁５２により、収容空間５４が画定される。底壁５１の中央位置には、収容空間５４と外部とを連通する穿孔５１１が設けられる。さらに、底壁５１には、底壁５１の底面と、収容空間５４と、を連通する複数の通孔５１３が設けられる。導気管５３は、集気口５３１および排気口５３２を含む。排気口５３２は、収容空間５４に連通する。集気口５３１は、ファン３０の位置に対応する。液体容器５０の底壁５１の周縁は、カバー４０の上縁に当接される。カバー４０の下端は、ベース１０に接合される。これにより、液体容器５０とベース１０とカバー４０とは接続固定され、導気管５３の集気口５３１が下方のファン３０の位置に対応する。
【００２１】
図２〜図４を参照する。図２〜図４に示すように、装飾灯部材６０は、回路基板６１と、回路基板６１に電気的に接続される複数の発光体６２と、を含む。回路基板６１は、液体容器５０の底壁５１に螺合され、電源入力装置２１に電気的に接続される。複数の発光体６２は、通孔５１３から収容空間５４中に挿入される。
【００２２】
振動装置７０は、超音波振動装置である。振動装置７０は、液体容器５０の底壁５１の穿孔５１１中に接続される。振動装置７０は、電源入力装置２１に電気的に接続されることにより、電源入力装置２１から作動するのに必要な電源が供給される。
【００２３】
複数の中空光管８０は、液体容器５０の収容空間５４中に直立して配置される。複数の中空光管８０の一方の端部は、通孔５１３上の発光体６２を被覆する。
【００２４】
図１〜図４を参照する。図１〜図４に示すように、蓋体９０には、蓋体９０の上端面と底端面とを貫通する貫通孔９１が複数設けられる。複数の貫通孔９１は、中空光管８０の位置に対応する。貫通孔９１と中空光管８０の上端との間には、所定の隙間が保持されることにより、芳香剤の霧が飛散しやすい構造になっている。また、蓋体９０の底面の中央には、環状の止水突部９２が配置される。止水突部９２は、液体容器５０の穿孔５１１に対応する。環状の止水突部９２は、液体容器５０の内部の方向を向いており、振動を受けた液体が水平方向に拡散するのを防止する。
【００２５】
上述の説明は、本実施形態の装飾灯付き芳香剤噴霧器１００の各部材および組立方法を説明したものである。次に、本考案の特徴を下記に示す。
【００２６】
ユーザが液体（芳香油および芳香液）を液体容器５０の収容空間５４中に注入し、振動装置７０を制御して振動を発生させることにより、収容空間５４内の液体を霧化することができる。これと同時に、ファン３０も運転し、ベース１０の通気孔１１から外部の気体を吸入し、気体が導気管５３の集気口５３１および排気口５３２から収容空間５４中に送られる。これにより、収容空間５４中の霧は、蓋体９０の貫通孔９１から外部空間に飛散する。また、発光体６２から放出された光線は、中空光管８０により、集中して上方の貫通孔９１から光束となって投射される。これにより、色彩豊かな光束による視覚効果が現出する。
【００２７】
図４を参照する。図４に示すように、導気管５３は、ファン３０に連通する一方の端部の口径が大きく、収容空間５４に連通する他方の端部の口径が小さいのが好ましい。これにより、ファン３０が導入した気体は、排気口５３２を通過するとき、圧力が増大し、流速が速くなり、上昇する強力な気流が発生する。これにより、蓋体９０の貫通孔９１から、微細に霧化した芳香剤が大量に迅速に噴出するため、噴霧効率を高めることができる。
【００２８】
振動装置７０が収容空間５４内の液体を振動させるとき、上方に位置する蓋体９０の止水突部９２が振動を受けて跳ねた液体を阻止するため、液体が水平方向に拡散するのを防止することができ、貫通孔９１と中空光管８０の上端との間の隙間を封止する。これにより、生成された霧は、液体容器５０からスムーズに飛散する。
【００２９】
装飾灯部材６０の発光体６２は、例えば、ＬＥＤである。ＬＥＤは、赤色ＬＥＤ、青色ＬＥＤまたは緑色ＬＥＤとすることができる。或いは、発光体６２は、赤色光、青色光および緑色光を発光するＬＥＤチップを同時に有する少なくとも１つのＬＥＤとすることができる。回路基板６１の回路制御機能がＬＥＤを操作することにより、光混合による各種色彩効果を生成することができる。発光体６２から投射される色彩光は、中空光管８０によってガイドされ、蓋体９０の貫通孔９１から複数の光束が投射される。これにより、外部には、芳香剤が飛散するだけでなく、装飾灯から投射される光束により、色彩豊かな視覚効果を現出することができる。
【００３０】
装飾灯部材６０の回路基板６１には、振動装置７０が挿入される収容孔６１１が設けられる。
【００３１】
図１および図２を参照する。図１および図２に示すように、カバー４０の側辺には、電源入力口４２が設けられる。電源入力装置２１は、電源入力口４２を介し、外部と接続することにより、外部から電源が供給される。
【００３２】
図５を同時に参照する。液体容器５０または蓋体９０は、例えば、ガラス、透光性陶磁器、すりガラス、アクリル、プラスチック、水晶またはこれらを組み合わせたものなど、透明、半透明、一部透明、透光性、半透光性または一部透光性である。これにより、ユーザは、液体容器５０内の液体または霧と、中空光管８０により生成される色彩光と、を見ることができる。
【００３３】
中空光管８０は、ガラス、すりガラス、アクリル、プラスチック、水晶またはこれらを組み合わせたものなど、透明または透光性であり、光線をガイドし、液体容器５０および蓋体９０の外部に投射する。
【００３４】
中空光管８０は、円錐形の管が好ましい。即ち、液体容器５０の通孔５１３の開口端を被覆し、蓋体９０の貫通孔９１の開口端の口径より大きい。これにより、発光体６２から放出された光線の一部は、集中して上方に投射され、光束がはっきりと上方に投射され、色彩豊かな光芒を有する視覚効果を現出することができる。
【００３５】
図２〜図４を参照する。図２〜図４に示すように、振動装置７０は、回路制御機能を有する。振動装置７０は、毎秒数万回から数百万回の振動を発生させることができる高周波振動装置の一種である。振動装置７０は、ゴムリング９８を介し、液体容器５０の底壁５１の穿孔５１１中に接続されることにより、止水効果が増強される。
【００３６】
振動装置７０上には、水位センサ７１および発光体７２が配置される。水位センサ７１は、収容空間５４中に配置され、収容空間５４内の水量を感知する。発光体７２は、収容空間５４中に光線を照射する。振動装置７０により、水位センサ７１および発光体７２のオンオフが制御される。収容空間５４中の液体水位が水位センサ７１よりも低くなったとき、振動装置７０の運転が停止される。これにより、振動装置７０が破損するのを防止することができる。振動装置７０上の発光体７２は、例えば、ＬＥＤであり、所定の色彩の光線を投射することができる。
【００３７】
液体容器５０の底壁５１の底面には、複数の挿入柱５１２が突設される。ベース１０上には、複数の中空接続管１２が突設される。複数の挿入柱５１２が複数の中空接続管１２に挿入接続される構造により、装飾灯付き芳香剤噴霧器１００の組立、分解および清掃に便利になっている。
【００３８】
液体容器５０の挿入柱５１２がベース１０の中空接続管１２に挿入された後、ねじが螺合される（図示せず）ことにより、中空接続管１２と挿入柱５１２とは、強固に接合される。
【００３９】
図１および図２を参照する。図１および図２に示すように、上述の芳香剤噴霧器１００は、さらに、外部音源入力装置２２を含む。外部音源入力装置２２は、ベース１０上に配置され、外部音楽再生装置（図示せず）または音楽保存装置（図示せず）が挿入接続されることにより、外部から音声が入力される。
【００４０】
図２を参照する。図２に示すように、上述の装飾灯付き芳香剤噴霧器１００は、さらに、音楽制御回路基板２３を含む。音楽制御回路基板２３は、ベース１０上に配置され、電源入力装置２１に電気的に接続される。音楽制御回路基板２３は、大自然の音声、音楽、動物の鳴き声などを保存するのに使用され、聴覚効果を提供するのに使用される。
【００４１】
上述の装飾灯付き芳香剤噴霧器１００は、さらに、スピーカ２４を含む。ベース１０上の通気孔１１の領域と異なる領域には、複数の通音孔１３が設けられる。スピーカ２４は、ベース１０上の通音孔１３に対応する位置に配置される。スピーカ３０の音声は、通音孔１３から外部に出力される。スピーカ２４が外部音源入力装置２２と音楽制御回路基板２３とに電気的に接続されることにより、外部音源入力装置２２または音楽制御回路基板２３が出力する音楽および音声が増幅されて出力される。また、カバー４０により、スピーカ２４、ファン３０および音楽制御回路基板２３は、掩蔽される。また、外部音源入力装置２２は、カバー４０の音源入力口４３を介し、外部と接続される。
【００４２】
以上の説明は、本考案の好適な実施形態を示すものであり、本考案の実施形態の範囲を限定するものではない。当該技術に熟知するものによる、本考案に基づく変更などは、すべて本考案の実用新案登録請求の範囲に含まれる。
【符号の説明】
【００４３】
１００  装飾灯付き芳香剤噴霧器
１０  ベース
１１  通気孔
１２  中空接続管
１３  通音孔
２１  電源入力装置
２２  外部音源入力装置
２３  音源制御回路基板
２４  スピーカ
３０  ファン
４０  カバー
４１  支持突部
４２  電源入力口
４３  音源入力口
５０  液体容器
５１  底壁
５１１  穿孔
５１２  挿入柱
５１３  通孔
５２  周壁
５３  導気管
５３１  集気口
５３２  排気口
５４  収容空間
６０  装飾灯部材
６１  回路基板
６１１  収容孔
６２  発光体
７０  振動装置
７１  水位センサ
７２  発光体
８０  中空光管
９０  蓋体
９１  貫通孔
９２  止水突部
９８  ゴムリング
【図１】
0003155997.tif 000003
【図２】
0003155997.tif 000004
【図３】
0003155997.tif 000005
【図４】
0003155997.tif 000006
【図５】
0003155997.tif 000007